(57)【要約】【課題】      使用者の好みに応じてどこでも簡単に設けることができ、風通しが良く、隙間のない防虫アコーディオンカーテンを提供する。【解決手段】  何重にも折り畳まれ、折り畳まれた部分の上方にそれぞれ十字状のカット部と、該カット部と垂直方向に交わるように設けられた横向きのカット部とを具えたカーテンと、該カーテンの上部に形成された十字状のカット部を貫通するように設ける桿体とによって構成する。【選択図】    図１
0003105243.tif 000002
【実用新案登録請求の範囲】
【請求項１】
何重にも折り畳まれ、折り畳まれた部分の上方にそれぞれ十字状のカット部と、該カット部と垂直方向に交わるように設けられた横向きのカット部とを具えたカーテンと、
該カーテンの上部に形成された十字状のカット部を貫通するように設ける桿体とからなることを特徴とする防虫アコーディオンカーテン。
【請求項２】
前記十字状のカット部と垂直方向に交わるように形成された横向きのカット部の長さは、十字状のカット部の水平方向の一辺の長さよりも短いことを特徴とする請求項１に記載する防虫アコーディオンカーテン。
【請求項３】
前記カーテンは垂直方向両端縁部に設けられた複数の面ファスナとドア枠に設けられた面ファスナとを粘着してカーテンとドア枠とを粘着固定することができることを特徴とする請求項１に記載する防虫アコーディオンカーテン。
【請求項４】
前記カーテンは、垂直方向のドア軸側端縁部に設けられたバンドで束ねる構造を特徴とする請求項１、請求項２に記載する防虫アコーディオンカーテン。
【請求項５】
前記カーテンは、ドアのハンドルと同じ端縁部にハンドルを形成することを特徴とする請求項１、請求項２に記載する防虫アコーディオンカーテン。
【請求項６】
前記桿体は、第１桿体と、該第１桿体に穿設した第２桿体とからなり、第１桿体は第２桿体と対向する方向に回転させて、桿体の長さを延伸するか、又は短縮することができる構造を具えてなることを特徴とする請求項１に記載する防虫アコーディオンカーテン。
【請求項７】
前記カーテンは、ハンドルが形成された端縁部が２重の厚さに形成することを特徴とする請求項１に記載する防虫アコーディオンカーテン。
【請求項８】
前記カーテンは、垂直方向端縁部が２重の厚さに形成されることを特徴とする請求項１に記載する防虫アコーディオンカーテン。
【請求項９】
前記カーテンの上方に形成された十字状のカット部は、中央上方に半円形の孔部を形成することを特徴とする防虫アコーディオンカーテン。
【請求項１０】
前記カーテンの上方に形成された十字状のカット部は、中央上方に三角形の孔部を形成することを特徴とする請求項１に記載する防虫アコーディオンカーテン。
【考案の詳細な説明】
【技術分野】
【０００１】
この考案は、防虫アコーディオンカーテンに関し、特に部屋を仕切ることができるとともに、蚊や蝿など害虫の侵入を防ぎ、風通しの良い防虫アコーディオンカーテンに関する。
【背景技術】
【０００２】
蚊や蝿などは伝染病の媒介となり、飛びまわって病原体を散乱する。特に蚊は最近、テング熱の媒介として恐れられている。病原体の媒介となる蚊の発生を防ぎ、蚊が室内に進入して人体を刺すことを防ぐためには、乾燥し、澄んだ環境を作ることが重要な条件となっている。
多くの人はこれまで、室内に蚊などの害虫が侵入することを防ぎ、風通しを良くするため、窓に網戸やネットの付いた扉を設けてきた。
【０００３】
しかし、網戸やネットの付いた扉は、専門の業者でなければ取付けることができず、一般の消費者が取付けることができない。また、網戸やネットの付いた扉はドア、又は窓に付属して設けられるため使用者の好みに応じて付け替えたりすることができない。簡単な部屋の仕切りとして使用することもできない。
【０００４】
一般にのれんやカーテンは上部を固定するか、又は上部を移動させる方式で設けられる。上部を固定して設ける場合、のれんやカーテンを一方に引いて移動させることができないが、のれんやカーテンが左右２つの部分に分かれており中央から左右に開くことができる。しかし、のれんやカーテンの上部を移動しない設計にした場合、上部が固定されて常に空間を遮断した状態になるため、遮光されて実用的でないとともに、部屋に入る場合に毎回のれんやカーテンを開かなければならず不便である。
【０００５】
のれんやカーテンの上部を移動できるように設けた場合、のれんやカーテンの上部に複数のフックを設け、そのフックを横向きに設けられたレールに掛けて使用する。このため、使用者がのれんやカーテンを左右どちらかの方向へ引くとレール上をフックが移動して、のれんやカーテンが移動する。
【０００６】
しかし、のれんやカーテンに設けられたフックとレールの間には隙間が存在するため、蚊などの害虫が隙間から室内に侵入し、完全に蚊などを予防することができない。
【考案の開示】
【考案が解決しようとする課題】
【０００７】
この考案は、使用者の好みの場所に簡単に設けることができ、風通しが良く、隙間のない防虫アコーディオンカーテンを提供することを課題とする。
【課題を解決するための手段】
【０００８】
そこで、この考案の発明者は従来の技術に見られる欠点に鑑みて鋭意研究を重ねた結果、何重にも折り畳まれ、折り畳まれた部分の上方にそれぞれ十字状のカット部と、該カット部と垂直方向に交わるように設けられた横向きのカット部とを形成したカーテンと、該カーテンの上部に形成された十字状のカット部を貫通するように設ける桿体とを含んでなる防虫アコーディオンカーテンの構造によって課題を解決できる点に着眼し、かかる知見に基づいてこの考案を完成させた。
【０００９】
以下、この考案について具体的に説明する。
請求項１に記載する何重にも折り畳まれ、折り畳まれた部分の上方にそれぞれ十字状のカット部と、該カット部と垂直方向に交わるように設けられた横向きのカット部とを具えたカーテンと、該カーテンの上部に形成された十字状のカット部を貫通するように設ける桿体とからなるものである。
【００１０】
請求項２に記載する防虫アコーディオンカーテンは、請求項１に記載した十字状のカット部と垂直方向に交わるように形成された横向きのカット部の長さが、十字状のカット部の水平方向の一辺の長さよりも短い。
【００１１】
請求項３に記載する防虫アコーディオンカーテンは、請求項１に記載するカーテンが、垂直方向両端縁部に設けられた複数の面ファスナとドア枠に設けられた面ファスナとを粘着してカーテンとドア枠とを粘着固定する。
【００１２】
請求項４に記載する防虫アコーディオンカーテンは、請求項１、請求項２に記載するカーテンが、垂直方向のドア軸側端縁部に設けられたバンドで束ねる。
【００１３】
請求項５に記載する防虫アコーディオンカーテンは、請求項１、請求項２に記載するカーテンが、ドアのハンドルと同じ端縁部にハンドルを形成する。
【００１４】
請求項６に記載する防虫アコーディオンカーテンは、請求項１に記載する桿体が、第１桿体と、該第１桿体に穿設した第２桿体とからなり、第１桿体は第２桿体と対向する方向に回転させて、桿体の長さを延伸するか、又は短縮することができる構造を具えてなる。
【００１５】
請求項７に記載する防虫アコーディオンカーテンは、請求項１に記載するカーテンが、ハンドルが形成された端縁部が２重の厚さに形成する。
【００１６】
請求項８に記載する防虫アコーディオンカーテンは、請求項１に記載するカーテンが、垂直方向端縁部が２重の厚さに形成する
【００１７】
請求項９に記載する防虫アコーディオンカーテンは、請求項１に記載するカーテンの上方に形成された十字状のカット部が、中央上方に半円形の孔部を形成する。
【００１８】
請求項１０に記載する防虫アコーディオンカーテンは、請求項１に記載するカーテンの上方に形成された十字状のカット部が、中央上方に三角形の孔部を形成する。
【考案の効果】
【００１９】
この考案による防虫アコーディオンカーテンは、使用者が簡単に装着することができる効果を有する。
【００２０】
また、この考案による防虫アコーディオンカーテンは、上方が完全に広がるため、採光不良の問題がないとともに、カーテンを桿体に直接設けるため、ドア又は窓が密封され、蚊などの侵入を防ぐことができて実用的である。
【考案を実施するための最良の形態】
【００２１】
この考案は、使用者の好みの場所に簡単に設けることができ、風通しが良く、隙間のない防虫アコーディオンカーテンを提供するものであって、何重にも折り畳まれ、折り畳まれた部分の上方にそれぞれ十字状のカット部と、該カット部と垂直方向に交わるように設けられた横向きのカット部とを形成したカーテンと、該カーテンの上部に形成された十字状のカット部を貫通するように設ける桿体とを含んでなる。
かかる防虫アコーディオンカーテンの構造と特徴を詳述するために具体的な実施例を挙げ、図示を参照にして以下に説明する。
【実施例】
【００２２】
図１に、この考案による防虫アコーディオンカーテンの斜視図を開示する。防虫アコーディオンカーテンはカーテン（１）と、桿体（２）とを含んでなり、該桿体（２）は第１桿体（２１）と、該第１桿体（２１）に穿設した第２管体（２２）とからなる。該第１桿体（２１）は内部に調節機能を具えており、第２桿体（２２）と第１桿体（２１）とを対向して右や左に回転させると、桿体（２）の長さを調節することができる。該桿体（２）の両端にはそれぞれ柔らかいパッドが設けられているため、使用者がドア枠の幅に応じて桿体の長さを自分で調節してドア枠に設ける場合、桿体の両端がドア枠の両側をしっかりと抑えることができる。
【００２３】
カーテン（１）はネット状の布を何重にも折り畳んだアコーディオン状に形成され、高い通気効果を有する。該カーテン（１）はその他の材質から製造することができる。該カーテン（１）の折り畳まれた部分の上部にはそれぞれ、十字状のカット部（１１）と、該十字状のカット部（１１）の上端の適宜な位置に該カット部（１１）と垂直になるような横向きのカット部（１２）とが形成される。該横向きのカット部（１２）の長さは、十字状のカット部（１１）の水平方向の一辺の長さよりも短く形成する。また、カーテン（１）の垂直方向両端縁部の適宜な位置には、複数の面ファスナ（１３）が設けられる。また、カーテン（１）の垂直方向端縁部には複数のバンド（１４）が設けられ、対向する端縁部の上方には、使用者がカーテンを一方に引くときに使用するハンドル（１５）が設けられる。使用者はカーテン（１）の端縁部に設けられたハンドル（１５）を引いてカーテンを移動するため、ハンドル（１５）の設けられている端縁部は常に大きな力を受ける。よって、端縁部は、強度を強くするため厚く形成される。厚さを加える方式は、２層に折り畳む方式を採用している。
【００２４】
カーテン（１）と、桿体（２）とを組み合わせる場合、適宜な長さに調整した桿体（２）がカーテン（１）に形成された十字状のカット部（１１）を貫通するように設けた後、図２に開示するように、桿体（２）がドア枠（３）の両端を抑えるように固定する。使用者はカーテン（１）を一方に引いて、カーテン（１）のもう一方に設けられた面ファスナ（１３）とドア枠（３）のもう一方の面ファスナとを互いに粘着すると、カーテン（１）の両端縁部がドア枠（３）の両側に粘着固定される。
【００２５】
桿体（２）を十字状のカット部（１１）に貫通させた後、十字状のカット部（１１）の上端にはカーテン全体の大きな力が加わる。このため、この考案では十字状のカット部（１１）の上端に該カット部（１１）と垂直に交わる横向きのカット部（１２）（図６に開示する）を形成して、十字状のカット部（１１）が受ける力を分散し、十字状のカット部（１１）の上端が引き裂かれることを防ぎ、十字状のカット部（１１）と桿体（２）の間の隙間を最小にする（図７に開示する）。よって、室内に蚊や蝿などの害虫が侵入する確率が最も低くなる。また、桿体（２）を孔部（１１０）に貫通させた場合に同様な密閉効果を得るために、十字状のカット部（１１）の中央上方には半円形の孔部（１１０）（図８に開示する）や、又は図９に開示するように三角形の孔部（１１０）を形成してもよい。
【００２６】
桿体（２）の第１桿体（２１）と第２桿体（２２）との接続部には拡大ヘッド部が設けられているため、使用者がカーテン（１）をスムーズに引くことができない障害となる可能性がある。このため、ドア枠にカーテン（１）を装着する場合、細めの第２桿体（２２）がドア（４）のドアの軸方向に対向するようにドア枠（３）に設けて固定する。図３に開示するように、ドアの軸がドア枠の右側に設けられている場合、桿体（２）の第２桿体（２２）が右側になるようにドア枠（３）に固定する。使用者がカーテン（１）を右側に引いた場合、もともと左側に位置していたカーテン（１）が第１桿体（２１）と第２桿体（２２）の間の接続部にある拡大ヘッド部に寄せられる。また、もともと第２桿体（２２）部分にあったカーテンは移動しない。使用者はバンド（１４）でカーテン（１）を１つに束ねることができるため、カーテン（１）が散乱することがない。図４に開示するように、ドアの軸が左側に設けられている場合、桿体（２）の第２桿体（２２）が左側になるようにドア枠（３）に固定する。使用者がカーテン（１）を左側に引く場合、もともと右側にあったカーテン（１）が第１桿体（２１）と第２桿体（２２）との接続部の拡大ヘッド部付近に寄せられ、もともと第２桿体（２２）にあったカーテンが移動しない。使用者はバンド（１４）を利用してカーテン（１）を束ねることができるため、散乱することがない。
【００２７】
図５に開示するように、カーテン（１）の水平方向端縁部、ドア枠（３）の間に発生した隙間から蚊や蝿などの害虫が侵入することを防ぐため、カーテン（１）の折幅（L）は通常、ドア枠（３）の厚さ（W）よりも狭い。よって、使用者がカーテン（１）を引いた場合、カーテン（１）の水平方向端縁部とドア枠（３）との間に大きな隙間が発生することがない。
【００２８】
この考案は、構造が簡単であるだけでなく、簡単に組み合わせることができるため、現在、流行している消費者が購入後、自ら組み立てを行う「DIY」の風潮に適している。また、使用者の需要に合わせて分解や、再度組み立てすることが簡単に行えるため、使用上実用的、経済的で、利用価値が高い。
【００２９】
以上は、この考案の好ましい実施例であって、この考案の実施の範囲を限定するものではない。よって、当業者のなし得る修正、又は変更であって、この考案の精神の下においてなされ、この考案に対して均等の効果を有するものは、いずれもこの考案の特許請求の範囲に属するものとする。
【図面の簡単な説明】
【００３０】
【図１】この考案の防虫アコーディオンカーテンの分解図である。
【図２】図１に開示した防虫アコーディオンカーテンをドア枠に組み合わせ、カーテンを一方に引いた状態の正面図である。
【図３】ドアの軸がドア枠の垂直方向片側にあり、カーテンを右側に寄せた状態を示した説明図である。
【図４】ドアの軸が図３に開示した側と対向する端縁部にあり、カーテンを軸側に寄せた状態を表わした説明図である。
【図５】カーテンとドア枠の関係を上から表わした平面説明図である。
【図６】カーテンの上部に形成された十字状のカット部の拡大説明図である。
【図７】図６に開示した十字状のカット部に桿体を貫通した場合の部分拡大説明図である。
【図８】図６に開示した十字状のカット部の中央上方に半円形の孔部を形成した場合の部分拡大説明図である。
【図９】図６に開示した十字状のカット部の中央上方に三角形の孔部を形成した部分の拡大説明図である。
【符号の説明】
【００３１】
１          カーテン
２          桿体
３          ドア枠
４          ドア
１１        十字状のカット部
１２        横向きのカット部
１３        面ファスナ
１４        バンド
１５        ハンドル
２１        第１桿体
２２        第２桿体
１１０      孔部
【図１】
0003105243.tif 000003
【図２】
0003105243.tif 000004
【図３】
0003105243.tif 000005
【図４】
0003105243.tif 000006
【図５】
0003105243.tif 000007
【図６】
0003105243.tif 000008
【図７】
0003105243.tif 000009
【図８】
0003105243.tif 000010
【図９】
0003105243.tif 000011